(57)【要約】【課題】サンプルガス源からガス圧縮機の定格流量よりも少ない流量のサンプルガスをサンプリングし、サンプリングされたサンプルガスを測定することのできるガス分析システムを提供する。【解決手段】ガス分析システムは、流量制限部の下流側におけるサンプルガスの流量よりも定格流量が大きいガス圧縮機と、前記ガス圧縮機よりも下流側でガス供給ラインから分岐するとともに、前記ガス圧縮機よりも上流側で前記ガス供給ラインに合流するガス循環ラインと、前記ガス循環ラインに設けられ、前記ガス循環ラインにおける前記サンプルガスの圧力を大気圧以上の設定圧まで減圧するための減圧弁と、前記ガス循環ラインの分岐点または該分岐点の下流側で前記ガス供給ラインから分岐するガスサンプリングラインと、前記ガスサンプリングラインに設けられ、前記ガスサンプリングラインを流れる前記サンプルガスの分析を行うためのガス分析部と、を備える。【選択図】  図１
2016188845.tif 000002
【特許請求の範囲】
【請求項１】
サンプルガス源に接続されたガス供給ラインと、
前記ガス供給ラインに設けられ、前記ガス供給ラインを流れるサンプルガスの流量を制限するための流量制限部と、
前記流量制限部の下流側において前記ガス供給ラインに設けられ、前記流量制限部の下流側における前記サンプルガスの流量よりも定格流量が大きいガス圧縮機と、
前記ガス圧縮機よりも下流側で前記ガス供給ラインから分岐するとともに、前記ガス圧縮機よりも上流側で前記ガス供給ラインに合流するガス循環ラインと、
前記ガス循環ラインに設けられ、前記ガス循環ラインにおける前記サンプルガスの圧力を大気圧以上の設定圧まで減圧するための減圧弁と、
前記ガス循環ラインの分岐点または該分岐点の下流側で前記ガス供給ラインから分岐するガスサンプリングラインと、
前記ガスサンプリングラインに設けられ、前記ガスサンプリングラインを流れる前記サンプルガスの分析を行うためのガス分析部と、
を備えることを特徴とするガス分析システム。
【請求項２】
前記サンプルガス源は、原子炉格納容器であり、
前記サンプルガスは、前記原子炉格納容器内のガスであることを特徴とする請求項１に記載のガス分析システム。
【請求項３】
前記ガスサンプリングラインは、
前記ガス圧縮機よりも上流側、且つ前記流量制限部よりも下流側で前記ガス供給ラインに合流する
ことを特徴とする請求項１又は２に記載のガス分析システム。
【請求項４】
前記ガス供給ラインの末端に一端が接続され、前記サンプルガス源に他端が接続された回収ラインをさらに備えることを特徴とする請求項１乃至３の何れか一項に記載のガス分析システム。
【請求項５】
前記ガス圧縮機の下流側で前記減圧弁よりも上流側にガス冷却器をさらに備えることを特徴とする請求項１乃至４の何れか一項に記載のガス分析システム。
【請求項６】
前記ガス分析部は、前記サンプルガスに含まれるガスの濃度を測定する測定器を含むことを特徴とする請求項１乃至５の何れか一項に記載のガス分析システム。
【請求項７】
前記減圧弁は、自力式減圧弁であることを特徴とする請求項１乃至６の何れか一項に記載のガス分析システム。
【発明の詳細な説明】
【技術分野】
【０００１】
本開示は、ガス分析システムに関する。
【背景技術】
【０００２】
一般的なガス圧縮機は、吸込側圧力が負圧となると稼働することができない。一方、ガスサンプリングに用いるガス圧縮機ではガスを吸い込む必要があり、ガスのサンプリング流量を減らした場合には、ガス圧縮機の吸込流量が吐出流量（定格流量）を下回り、吸込側圧力が負圧となる。
【０００３】
特許文献１には、吸入側に分離装置に連結された導管が連結され、吐出側に使用端に連結された導管が連結された圧縮機を備えた吸入圧制御装置が開示されている。かかる装置において、吸入側に連結された導管と吐出側に連結された導管とには圧縮機をバイパスする導管が連結されている。吸入側の導管には圧力調節計が設けられ、圧縮機をバイパスする導管には調節弁が設けられている。そして、調節弁は圧力調節計に接続されている。かかる吸入圧制御装置によれば、分離装置から吸込側の導管を経て圧縮機に供給される流体の流量（以下「供給流量」）を８００Ｎｍ３／Ｈ、圧縮機の処理風量を１２００Ｎｍ３／Ｈと仮定すれば、圧縮機をバイパスする導管を流通する流体の流量（以下「バイパス流量」）は、４００Ｎｍ３／Ｈとなる旨が記載されている。また、供給流量が極端に０Ｎｍ３／Ｈとなった場合には、圧縮機の処理流量が１２００Ｎｍ３／Ｈであるため、バイパス流量を１２００Ｎｍ３／Ｈとしなければ圧縮機の吸入圧力を一定圧力に保つことができない旨が記載されている。
【先行技術文献】
【特許文献】
【０００４】
【特許文献１】特開昭５８−２１９６１７号公報
【発明の概要】
【発明が解決しようとする課題】
【０００５】
特許文献１が開示する吸入圧力制御装置では、分離装置から吸込側の導管を経て圧縮機に供給される流量が圧縮機の処理風量（定格流量）以下の場合に圧縮機の吐出側から吸入側に流体がバイパスし圧縮機を稼働することができる。
【０００６】
上述の事情に鑑みて、サンプルガス源からガス圧縮機の定格流量よりも少ない流量のサンプルガスをサンプリングし、サンプリングされたサンプルガスを測定することのできるガス分析システムを提供することを目的とする。
【課題を解決するための手段】
【０００７】
（１）本発明の少なくとも一実施形態に係るガス分析システムは、
サンプルガス源に接続されたガス供給ラインと、
前記ガス供給ラインに設けられ、前記ガス供給ラインを流れるサンプルガスの流量を制限するための流量制限部と、
前記流量制限部の下流側において前記ガス供給ラインに設けられ、前記流量制限部の下流側における前記サンプルガスの流量よりも定格流量が大きいガス圧縮機と、
前記ガス圧縮機よりも下流側で前記ガス供給ラインから分岐するとともに、前記ガス圧縮機よりも上流側で前記ガス供給ラインに合流するガス循環ラインと、
前記ガス循環ラインに設けられ、前記ガス循環ラインにおける前記サンプルガスの圧力を大気圧以上の設定圧まで減圧するための減圧弁と、
前記ガス循環ラインの分岐点または該分岐点の下流側で前記ガス供給ラインから分岐するガスサンプリングラインと、
前記ガスサンプリングラインに設けられ、前記ガスサンプリングラインを流れる前記サンプルガスの分析を行うためのガス分析部と、
を備える。
【０００８】
上記（１）の構成によれば、ガス圧縮機よりも下流側でガス供給ラインから分岐するとともに、ガス圧縮機よりも上流側でガス供給ラインに合流するガス循環ラインと、ガス循環ラインにおけるサンプルガスの圧力を大気圧以上の設定圧まで減圧するための減圧弁と、を備えるので、流量制限部でサンプルガスの流量がガス圧縮機の定格流量よりも制限されても、ガス循環ラインの分岐点または該分岐点の下流側でガス供給ラインから分岐するガスサンプリングラインに設けられたガス分析部でガスサンプリングラインを流れるサンプルガスの分析を行うことができる。
【０００９】
（２）幾つかの実施形態では、上記（１）の構成において、
前記サンプルガス源は、原子炉格納容器であり、
前記サンプルガスは、前記原子炉格納容器内のガスである。
上記（２）の構成によれば、原子炉格納容器から取り出されるサンプルガス（原子炉格納容器内のガス）の流量がガス圧縮機の定格流量よりも制限されても、ガス循環ラインの分岐点または該分岐点の下流側でガス供給ラインから分岐するガスサンプリングラインに設けられたガス分析部でガスサンプリングラインを流れるサンプルガスの分析を行うことができる。これにより、原子炉格納容器から外に取り出す原子炉格納容器内のガスの流量を少なくできる。
【００１０】
（３）幾つかの実施形態では、上記（１）又は（２）の構成において、
前記ガスサンプリングラインは、
前記ガス圧縮機よりも上流側、且つ前記流量制限部よりも下流側で前記ガス供給ラインに合流する。
上記（３）の構成によれば、ガスサンプリングラインは、ガス圧縮機よりも上流側、且つ流量制限部よりも下流側でガス供給ラインに合流するので、サンプリングラインに設けられたガス分析部で分析されたガスサンプリングガスをガス供給ラインに回収できる。
【００１１】
（４）幾つかの実施形態では、上記（１）から（３）の何れか一つの構成において、
前記ガス供給ラインの末端に一端が接続され、前記サンプルガス源に他端が接続された回収ラインをさらに備える。
上記（４）の構成によれば、ガス供給ラインの末端に一端が接続され、サンプルガス源に他端が接続された回収ラインをさらに備えるので、ガス供給ラインの末端からサンプルガス源にサンプルガスを回収できる。
【００１２】
（５）幾つかの実施形態では、上記（１）から（４）の何れか一つの構成において、
前記ガス圧縮機の下流側で前記減圧弁よりも上流側にガス冷却器をさらに備える。
上記（５）の構成によれば、ガス圧縮機の下流側で減圧弁よりも上流側にガス冷却器をさらに備えるので、ガス圧縮源で圧縮されたサンプルガスが減圧弁に到達するまでに冷却される。
【００１３】
（６）幾つかの実施形態では、上記（１）から（５）の何れか一つの構成において、
前記ガス分析部は、前記サンプルガスに含まれるガスの濃度を測定する測定器を含む。
上記（６）の構成によれば、ガス分析部は、サンプルガスに含まれるガスの濃度を測定する測定器を含むので、サンプルガスに含まれるガスの濃度を測定することができる。
【００１４】
（７）幾つかの実施形態では、上記（１）から（６）の何れか一つの構成において、
前記減圧弁は、自力式減圧弁である。
上記（７）の構成によれば、減圧弁は、自力式減圧弁であるので、ガスの流量が変動しても圧力が変動しないように自動的に開度を調整できる。
【発明の効果】
【００１５】
本発明の少なくとも一実施形態によれば、流量制限部でサンプルガスの流量がガス圧縮機の定格流量よりも制限されても、ガス循環ラインの分岐点または該分岐点の下流側でガス供給ラインから分岐するガスサンプリングラインに設けられたガス分析部でガスサンプリングラインを流れるサンプルガスの分析を行うことができるガス分析システムが提供される。
【図面の簡単な説明】
【００１６】
【図１】本発明の一実施形態に係るガス分析システムの構成を概略的に示す系統図である。
【図２】本発明の一実施形態に係る原子炉格納容器を有する原子力プラントを示す概念図である。
【発明を実施するための形態】
【００１７】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
また例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００１８】
図１は、本発明の一実施形態に係るガス分析システム１の構成を概略的に示す系統図である。
図１に示すように、本発明の少なくとも一実施形態に係るガス分析システム１は、ガス供給ライン３と、流量制限部４と、ガス圧縮機５と、ガス循環ライン６と、減圧弁６１と、ガスサンプリングライン７と、ガス分析部７１とを備える。
【００１９】
ガス供給ライン３は、ガス分析部７１にサンプルガスを供給するためのものであり、サンプルガス源２に接続されている。
【００２０】
流量制限部４は、ガス供給ライン３を流れるサンプルガスの流量を制限するためのものであり、ガス供給ライン３に設けられている。
図１に例示する形態において、流量制限部４は、流量調整弁４１で構成され、例えば、ガス供給ライン３を流れるサンプルガスの流量は、ｑＮｍ３／ｈに制限される。
【００２１】
ガス圧縮機５は、流量制限部４の下流側におけるサンプルガスの流量よりも定格流量が大きいものであり、流量制限部４の下流側においてガス供給ライン３に設けられている。
図１に例示する形態において、ガス圧縮機５は、汎用のガス圧縮機５で構成され、例えば、ｑＮｍ３／ｈよりも定格流量が大きなＱＮｍ３／ｈの定格流量のガス圧縮機５が採用される。
【００２２】
ガス循環ライン６は、ガス圧縮機５よりも下流側でガス供給ライン３から分岐するとともに、ガス圧縮機５よりも上流側でガス供給ライン３に合流するものである。
【００２３】
減圧弁６１は、ガス循環ライン６におけるサンプルガスの圧力を大気圧以上の設定圧まで減圧するためのものであり、ガス循環ライン６に設けられている。
図１に例示する形態において、減圧弁６１は、ＰａＭＰａの圧力を大気圧以上の設定圧であるＰｃＭＰａまで減圧するものが採用される。
【００２４】
ガスサンプリングライン７は、ガス循環ライン６の分岐点または該分岐点の下流側でガス供給ライン３から分岐する。
図１に例示する形態では、ガスサンプリングライン７は、ガス循環ライン６の分岐点の下流側でガス供給ライン３から分岐する。
【００２５】
ガス分析部７１は、ガスサンプリングライン７を流れるサンプルガスの分析を行うためのものであり、ガスサンプリングライン７に設けられている。
図１に例示する形態では、サンプルガスに含まれるガスの濃度が測定される。
【００２６】
上記構成によれば、ガス圧縮機５よりも下流側でガス供給ライン３から分岐するとともに、ガス圧縮機５よりも上流側でガス供給ライン３に合流するガス循環ライン６と、ガス循環ライン６におけるサンプルガスの圧力を大気圧以上の設定圧まで減圧するための減圧弁６１と、を備えるので、流量制限部４でサンプルガスの流量がガス圧縮機５の定格流量よりも制限されても、ガス循環ライン６の分岐点または該分岐点の下流側でガス供給ライン３から分岐するガスサンプリングライン７に設けられたガス分析部７１でガスサンプリングライン７を流れるサンプルガスの分析を行うことができる。
【００２７】
図１に示すように、幾つかの実施形態では、サンプルガス源２は、原子炉格納容器（ＣＶ）２１であり、サンプルガスは、原子炉格納容器（ＣＶ）内のガスである。
【００２８】
図２は、本発明の一実施形態に係る原子炉格納容器（ＣＶ）２１を有する原子力プラントを示す概念図である。
原子力プラントＡＰは、軽水を炉心冷却材及び中性子減速材として使用する軽水炉である。原子力プラントＡＰでは、原子炉１００で原子核分裂反応によって生じた熱エネルギーで加熱された一次冷却水によって、蒸気発生器１０５で二次冷却水の高温高圧蒸気を生成し、当該蒸気によって発電が行われる。すなわち、原子力プラントＡＰは、加圧水型原子炉（ＰＷＲ：Ｐｒｅｓｓｕｒｉｚｅｄ  Ｗａｔｅｒ  Ｒｅａｃｔｏｒ）である原子炉１００を備える原子力発電プラントである。原子力プラントＡＰは、一次冷却水が循環する一次冷却系を含む原子炉系ＣＳ１と、二次冷却水が循環する二次冷却系を含むタービン系ＣＳ２と、を備える。
【００２９】
原子炉１００は、原子核反応による熱エネルギーで一次冷却水を加熱する炉心１０２を収容する原子炉圧力容器１０３と、一次冷却水を加圧する加圧器１０４と、一次冷却水と二次冷却水との間で熱交換することで二次冷却水の高温高圧蒸気を発生させる蒸気発生器１０５と、一次冷却水を圧送する一次冷却水ポンプ１０６とが原子炉格納容器２１に収納されて構成されている。炉心１０２は、低濃縮ウランを含む複数の燃料ペレットが被覆管内に積層されてなる複数の燃料棒を有する燃料集合体を含み、支持構造物（不図示）によって原子炉格納容器２１に支持されている。
【００３０】
原子炉系ＣＳ１における一次冷却水は、炉心１０２で原子核反応により生じた熱エネルギーによって加熱されるとともに加圧器１０４によって加圧された後、配管１０８を介して蒸気発生器１０５に供給される。蒸気発生器１０５では、一次冷却水によって二次冷却水が加熱され、高温高圧蒸気が生成される。蒸気発生器１０５で二次冷却水を加熱することにより熱量を奪われた一次冷却水は、一次冷却水ポンプ１０６によって配管１０９を介して炉心１０２に戻される。
【００３１】
尚、原子炉系ＣＳ１では、一次冷却水は炉心１０２によって３２０℃程度に加熱されるとともに、加圧器１０４によって１５０−１６０気圧程度に加圧されることにより、沸騰が抑制されている。また蒸気発生器１０５では、高温高圧の一次冷却水によって二次冷却水は２７０度及び６０気圧程度の高温高圧蒸気（飽和蒸気）となる。
【００３２】
タービン系ＣＳ２における二次冷却水は、蒸気発生器１０５で一次冷却水によって加熱されることで高温高圧蒸気となる。蒸気となった二次冷却水は、隔離弁１１０が設けられた配管１１１を介して蒸気タービン１１２に供給される。蒸気タービン１１２は高圧タービン１１２Ａ及び低圧タービン１１２Ｂを含んでおり、それぞれ二次冷却水の蒸気によって駆動される。発電機１１３は、蒸気タービン１１２によって駆動され、発電が実施される。
【００３３】
蒸気タービン１１２で仕事を終えた二次冷却水の蒸気は、復水器１１４によって液体に戻される。復水器１１４は冷却水として、循環ポンプ１１５Ｐが設けられた取入管１１５を介して取水された海水を使用しており、使用後の海水は排水管１１６を介して排出される。復水器１１４で液化された二次冷却水は復水ポンプ１１７を通り、配管１１８、グランドコンデンサ１１９、復水脱塩装置１２０、復水ブースタポンプ１２１、低圧給水加熱器１２２、及び、脱気器１２３に供給される。脱気器１２３の下流側には二次冷却水ポンプ１２４が設けられており、二次冷却水は、高圧給水加熱器１２５及び吸水制御弁１２６が設けられた配管１２７を介して蒸気発生器１０５に戻される。
【００３４】
原子炉格納容器２１内のガスをサンプルガスとする場合には、原子炉格納容器（ＣＶ）内のガスが汚染されていることを考慮する必要があり、できるだけ少ない流量のガスをサンプルガスとすることが望まれる。
【００３５】
上記構成によれば、原子炉格納容器（ＣＶ）２１から取り出されるサンプルガス（原子炉格納容器（ＣＶ）２１内のガス）の流量がガス圧縮機５の定格流量よりも制限されても、ガス循環ライン６の分岐点または該分岐点の下流側でガス供給ライン３から分岐するガスサンプリングライン７に設けられたガス分析部７１でガスサンプリングライン７を流れるサンプルガスの分析を行うことができる。これにより、原子炉格納容器（ＣＶ）２１から外に取り出す原子炉格納容器内のガスの流量を少なくできる。
【００３６】
図１に示すように、幾つかの実施形態では、ガスサンプリングライン７は、ガス圧縮機５よりも上流側、且つ流量制限部４よりも下流側でガス供給ライン３に合流する。
【００３７】
上記構成によれば、ガスサンプリングライン７は、ガス圧縮機５よりも上流側、且つ流量制限部４よりも下流側でガス供給ライン３に合流するので、ガスサンプリングライン７に設けられたガス分析部７１で分析されたガスサンプリングガスをガス供給ライン３に回収できる。
【００３８】
図１に示すように、幾つかの実施形態では、ガス供給ライン３の末端に一端が接続され、サンプルガス源２に他端が接続された回収ライン８をさらに備える。
【００３９】
上記構成によれば、ガス供給ライン３の末端に一端が接続され、サンプルガス源２に他端が接続された回収ライン８をさらに備えるので、ガス供給ライン３の末端からサンプルガス源２にサンプルガスを回収できる。
【００４０】
図１に示すように、幾つかの実施形態では、ガス圧縮機５の下流側で減圧弁６１よりも上流側にガス冷却器６２をさらに備える。
【００４１】
上記構成によれば、ガス圧縮機５の下流側で減圧弁６１よりも上流側にガス冷却器６２をさらに備えるので、ガス圧縮源で圧縮されたサンプルガスが減圧弁６１に到達するまでに冷却される。
【００４２】
図１に示すように、幾つかの実施形態では、ガス分析部７１は、サンプルガスに含まれるガスの濃度を測定する測定器７１１を含む。
図１に例示する形態において、測定器７１１は、サンプルガスに含まれる水素の濃度を測定するものが採用される。
【００４３】
上記構成によれば、ガス分析部７１は、サンプルガスに含まれるガスの濃度を測定する測定器７１１を含むので、サンプルガスに含まれるガスの濃度を測定することができる。
【００４４】
図１に示すように、幾つかの実施形態では、減圧弁６１は、自力式減圧弁６１１である。
上記構成によれば、減圧弁６１は、自力式減圧弁６１１であるので、サンプルガスの流量が変動しても圧力が変動しないように自動的に開度を調整できる。
【００４５】
図１に示すように、幾つかの実施形態では、ガス分析部７１は、測定器７１１の上流に減圧弁７２を含む。減圧弁７２は、ガス分析部７１におけるサンプルガスの圧力を測定器７１１に適した設定圧まで減圧するためのものである。
【００４６】
図１に例示する形態において、減圧弁７２は、ガス分析部７１におけるサンプルガスの圧力をＰａＭＰａから測定器７１１に適したＰｂＭＰａまで減圧するものが採用される。
また、図１に例示する形態において、減圧弁７２は、自力式減圧弁７２１である。
【００４７】
上記構成によれば、ガス分析部７１は、測定器７１１の上流に減圧弁７２を含むので、測定器７１１の上流においてサンプルガスの圧力を測定器７１１に適した設定圧まで減圧できる。また、減圧弁７２は、自力式減圧弁７２１であるので、サンプルガスの流量が変動しても圧力が変動しないように自動的に開度を調整できる。
【００４８】
図１に示すように、幾つかの実施形態では、ガス分析部７１は、測定器７１１の下流に減圧弁７３を含む。減圧弁７３は、測定器７１１の下流におけるサンプルガスの圧力を大気圧以上の設定圧まで減圧するためのものであり、ガス循環ライン６に設けられている。
【００４９】
図１に例示する形態において、減圧弁７３は、測定器７１１の下流におけるサンプルガスの圧力をＰｂＭＰａから大気圧以上の設定圧であるＰｃＭＰａまで減圧するものが採用される。尚、ＰｃＭＰａは、ガス循環ライン６に設けられた減圧弁６１が減圧する圧力の設定値と同じ値であり、これにより、ガスサンプリングライン７に設けられたガス分析部７１で分析されたガスサンプリングガスをガス供給ライン３に回収できる。
また、図１に例示する形態において、減圧弁７３は、自力式減圧弁７３１である。
【００５０】
上記構成によれば、ガス分析部７１は、測定器７１１の下流に減圧弁７３を含むので、測定器７１１の下流においてサンプルガスの圧力を設定圧（ガス循環ライン６に設けられた減圧弁６１が減圧する圧力の設定値と同じ値）まで減圧できる。また、減圧弁７３は、自力式減圧弁７３１であるので、サンプルガスの流量が変動しても圧力が変動しないように自動的に開度を調整できる。
【００５１】
本発明は上述した実施形態に限定されることはなく、上述した実施形態に変形を加えた形態や、これらの形態を適宜組み合わせた形態も含む。
【符号の説明】
【００５２】
１    ガス分析システム
２    サンプルガス源
２１    原子炉格納容器（ＣＶ）
３    ガス供給ライン
４    流量制限部
４１  流量調整弁
５    ガス圧縮機
６    ガス循環ライン
６１    減圧弁
６１１    自力式減圧弁
６２    ガス冷却器
７    ガスサンプリングライン
７１    ガス分析部
７１１    測定器
７２    減圧弁
７２１    自力式減圧弁
７３    減圧弁
７３１    自力式減圧弁
８    回収ライン
１００    原子炉
１０２    炉心
１０３    原子炉圧力容器
１０４    加圧器
１０５    蒸気発生器
１０６    一次冷却水ポンプ
１０８    配管
１０９    配管
１１０    隔離弁
１１２    蒸気タービン
１１２Ａ    高圧タービン
１１２Ｂ    低圧タービン
１１１    配管
１１３    発電機
１１４    復水器
１１５    取入管
１１５Ｐ    循環ポンプ
１１６    排水管
１１７    復水ポンプ
１１８    配管
１１９    グランドコンデンサ
１２０    脱塩装置
１２１    復水ブースタポンプ
１２２    低圧給水加熱器
１２７    配管
１２３    脱気器
１２４    二次冷却水ポンプ
１２５    高圧給水加熱器
１２６    吸水制御弁
ＡＰ    原子力プラント
ＣＳ１    原子炉系
ＣＳ２    タービン系
【図１】
2016188845.tif 000003
【図２】
2016188845.tif 000004